(57)【特許請求の範囲】
【請求項１】
ビデオ関連のエンハンスメントから生じるデータの破損を防止するためのビデオ信号処理装置であって、
テレビジョン・チューナ（１０２）に結合される第１のビデオ信号入力、補助ビデオ源（１０４）に結合される第２のビデオ信号入力、およびＳビデオ信号源（１０６）からルミナンス信号源（Ｌ１）に結合される第３のビデオ信号入力を具える複合スイッチ（１１０）であって、
前記複合スイッチは、自身に結合されるコントローラからの制御信号に応答して前記ビデオ信号入力のうちの選択された１つから出力ビデオ信号（ＣＶｍ）を供給し、出力ビデオ信号（ＣＶｍ）は補助データ情報を含む成分（ＶＢＩ）を有する、前記複合スイッチ（１１０）と、
前記複合スイッチに結合され、前記出力ビデオ信号（ＣＶｍ）をくし形濾波して、出力ルミナンス信号（Ｙｍ）および出力クロミナンス信号（Ｃｍ）をそれぞれ第１の出力および第２の出力において供給するくし形フィルタと、
前記複合スイッチと前記くし形フィルタとの間に結合される入力を具え、前記出力ビデオ信号（ＣＶｍ）を受信し、該出力ビデオ信号中に含まれる補助データを復号化し、復号化された出力信号（ＡＤｏ）を供給するデータ処理装置（１２５）と、
前記くし形フィルタおよび前記Ｓビデオ信号源に結合され、前記コントローラより発生される第１の制御信号に応答して、前記くし形フィルタからの出力ルミナンス信号または前記Ｓビデオ信号源からのルミナンス信号のいずれかを選択する第１の信号スイッチと、
前記くし形フィルタおよび前記Ｓビデオ信号源に結合され、前記コントローラより発生される前記第１の制御信号に応答して、前記くし形フィルタからの出力クロミナンス信号または前記Ｓビデオ信号源からのクロミナンス信号のいずれかを選択する第２の信号スイッチと、を具え、且つ
前記複合スイッチは、前記第１の制御信号と、前記コントローラより発生される該第１の制御信号および第２の制御信号の組合せ信号とに応答して、前記第１と前記第２と前記第３のビデオ信号入力のうちの１つから信号を選択する、前記ビデオ信号処理装置。
【請求項２】
前記第１の制御信号は第１のインバータを介して前記複合スイッチに結合され、前記第１の制御信号は前記第１のインバータと第２のインバータを通って前記第２の制御信号に結合され、もって、前記複合スイッチに結合される前記組合せ信号を形成することを特徴とする、請求項１記載のビデオ信号処理装置。
【発明の詳細な説明】
【０００１】
（産業上の利用分野）
この発明は、ビデオ信号を処理するための方法および装置に関し、特に、くし形フィルタ（ｃｏｍｂ  ｆｉｌｔｅｒ）を使用してビデオ信号を処理する場合にビデオ信号中のデータ・サービス情報を処理するための方法および装置に関する。
【０００２】
（発明の背景）
テレビジョン信号の処理は、一般に、テレビジョン信号のルミナンス（輝度）成分とクロミナンス（色）成分の分離或いは再生が必要である。例えば、ＮＴＳＣ方式のカラー・テレビジョン信号には、直流から４．２ＭＨｚの公称周波数帯域までの周波数範囲を有する輝度（ルミナンス）周波数信号（Ｙ信号）と、位相変調および振幅変調されて映像の色相（ｈｕｅ）および彩度（ｓａｔｕｒａｔｉｏｎ）を表す３．５８ＭＨｚの色副搬送波とが含まれている。映像に含まれるルミナンス情報は、水平線走査周波数の整数倍の辺りに集中する信号の周波数によって表される。クロミナンス情報は、線走査周波数の整数倍相互間の中間、即ち、線走査周波数の半分の奇数倍の周波数の辺りに在るルミナンス信号スペクトル部分に符号化或いは挿入されている。
【０００３】
クロミナンス情報およびルミナンス情報は、くし形フィルタを用いる方法によって複合信号（ｃｏｍｐｏｓｉｔｅ  ｓｉｇｎａｌ）から分離し再生することが出来る。代表的なくし形フィルタ法では、複合ビデオ（映像）信号を１水平走査分遅延させた別の複合ビデオ信号から減算する。ＮＴＳＣ方式のクロミナンス副搬送波の（水平同期パルスについて）連続する２本の線は位相が互いに１８０度ずれるため、それらのクロミナンス入力は副搬送波の和として互いに組合わさる。ルミナンスの線は元々同相になるため、位相を互いに逆にしてルミナンス成分を組合わせると、ルミナンスが相殺される。従って、この組合わせによって、固定ルミナンス成分が位相相殺されたクロミナンス成分が生成される。更に、分離されたクロミナンス成分を複合ビデオ入力信号（ルミナンス＋クロミナンス）から（更に位相反転することなしに）減算することによって、分離ルミナンス成分が生成される。この場合、クロミナンスの線は同相になるため、クロミナンス成分の位相相殺によって分離ルミナンス出力信号が生成される。
【０００４】
ところで、テレビジョン放送産業では、テレビジョン信号の有効期間（ａｃｔｉｖｅ  ｉｎｔｅｒｖａｌ）の相互間に在る垂直帰線消去期間（ＶＢＩ：Ｖｅｒｔｉｃａｌ  Ｂｌａｎｋｉｎｇ  Ｉｎｔｅｒｖａｌ）にデータ・サービス情報を挿入することが一般的になりつつある。このデータ・サービス情報によって、必ずしもビデオ信号に含まれる表示情報或いはプログラム（番組）情報とは関係のないような様々な拡張サービスを提供できる。この挿入情報の例としては、ＧｅｍＳｔａｒ（Ｇコード）、ＮＡＢＴＳ（Ｎｏｒｔｈ  Ａｍｅｒｉｃａ  Ｂａｓｉｃ  Ｔｅｌｅｔｅｘｔ  Ｓｐｅｃｉｆｉｃａｔｉｏｎ：北米基本テレテキスト標準）仕様に基づくテレテキスト（文字多重放送）、および、クローズド・キャプション（ｃｌｏｓｅｄ  ｃａｐｔｉｏｎ，字幕）データが挙げられるが、これらだけに限定するものではない。
【０００５】
しかし、そのような関係のない情報源からのデータ・サービス情報を垂直帰線消去期間に挿入することによって、くし形フィルタを利用するテレビジョン受像機に問題が生じることがあり、特に、様々な情報源からの情報がビデオ信号の互いに隣接する線上に在る場合に問題が生じることがある。上述のように、くし形フィルタ法では、その特徴として、くし形フィルタに供給された現在の線上の情報をその前の線上の情報と、或いは、３ライン・くし形フィルタの場合はその次の線上の情報と加算し、処理する。例えば、有効ビデオ期間中の標準表示情報或いは標準プログラミング情報の場合のように、互いに隣接する線上の情報が必ず互いに関係ある場合には、くし形濾波機能によって複合信号のルミナンス成分とクロミナンス成分とが適切に分離される。しかし、様々なサービス・プロバイダが、異なるサービス情報を垂直帰線消去期間に挿入する場合のように、互いに隣接する線上の情報が互いに無関係である場合には、１つ或いは複数のサービス・プロバイダによって提供された情報が、その異なる情報をくし形フィルタにかけることによって、破損又は劣化してしまうことがある。
【０００６】
図１は、互いに隣接する線上の相異なる情報がデータ破損した出力になってしまう可能性のある従来型テレビジョン装置を示している。装置１００には、くし形フィルタ１１２と、このくし形フィルタ１１２の下流信号経路に在る回路点に取出し点（ｔａｋｅ  ｏｆｆ  ｐｏｉｎｔ）が配置された補助（ａｕｘｉｌｉａｒｙ）データ復号器１２５とが含まれている。この装置の場合、補助データ復号器（プロセッサ）１２５は、ルミナンス・スイッチ（Ｙスイッチ）１１４の出力に結合された取出し点から、くし形濾波済みルミナンス出力を受け取る。図１の装置では、互いに隣接する線上の相異なる情報が破損する恐れがあることが判っている。例えば、ＮＡＢＴＳデータの線がＧｅｍＳｔａｒデータ（Ｇコード）の線に隣接する時に、そのＮＡＢＴＳデータによってＧｅｍＳｔａｒデータ（Ｇコード）が壊されてしまう。ＮＡＢＴＳデータ用のデータ転送率は、１７４ｎｓｅｃ／ｂｉｔであり、これは約２．８６ＭＨｚの周波数に相当する。この２．８６ＭＨｚのデータは、くし形フィルタ１１２のクロミナンス通過帯域内に在るため、くし形濾波されて、隣接する線上のＧｅｍＳｔａｒデータと加算される。この結果、ＧｅｍＳｔａｒデータが２．８６ＭＨｚの周期成分と加算される。この周期成分はＧｅｍＳｔａｒデータを壊し、その結果、ＧｅｍＳｔａｒデータのダウンロード・エラーの割合が大幅に増すことになる。
【０００７】
図１の装置では、補助データの取出し点は、クローズド・キャプション・ビデオが如何なる選択入力についても常に表示ビデオに対応するように選ばれており、このような装置は比較的よく使用されている。表示ビデオは、ＴＶチューナ入力１０２、補助ビデオ入力１０４およびＳビデオ入力１０６のうちの選択された１つの入力からの出力に対応する。表示ビデオは、出力線１１８および１２０に供給された信号から引き出される。出力線１１８は、３つの入力源１０２、１０４および１０６に共通する、システム内の最初の回路点である。図１の装置は、クローズド・キャプション情報が表示ビデオに整合することを保証しているが、補助データの取出し点がくし形フィルタ１１２の後段に在るという欠点を持っている。このような装置は、システムが垂直帰線消去期間中のクローズド・キャプション・ビデオ情報のみを処理するように設計されている場合には問題ない。しかし、このような装置は、互いに隣接する線上に在る様々な情報源から供給された補助データを処理する場合、前述した理由によりデータが破損してしまうことがある。
【０００８】
上述の問題について提案された１つの解決法は、垂直帰線消去期間中、くし形フィルタ１１２を停止させることである。この解決法の一例が、１９９９年５月２５日に付与された米国特許第５，９０７，３６９号（発明の名称：「色誤差補正機能を備えた、主画面および副画面を表示するためのテレビジョン・システム」（ＴＥＬＥＶＩＳＩＯＮ  ＳＹＳＴＥＭ  ＦＯＲ  ＤＩＳＰＬＡＹＩＮＧ  ＭＡＩＮ  ＡＮＤ  ＡＵＸＩＬＩＡＲＹ  ＩＭＡＧＥＳ  ＷＩＴＨ  ＣＯＬＯＲ  ＥＲＲＯＲ  ＣＯＲＲＥＣＴＩＯＮ  ＰＲＯＶＩＳＩＯＮＳ））の明細書に記載されている。
【０００９】
上述の問題について提案された別の解決法は、垂直帰線消去期間中、くし形フィルタ１１２をバイパス（ｂｙｐａｓｓ）することである。この解決法の一例を図２に示す。図２に於いて、垂直帰線消去期間中、くし形フィルタ１１２をバイパスするゲート回路１１３が、くし形フィルタ１１２の主複合ビデオ入力とくし形濾波済みルミナンス出力とに結合されている。くし形フィルタ１１２をバイパスするために、複合スイッチ１１０の出力ＣＶｍが、ゲート回路１１３を介してルミナンス・スイッチ（Ｙスイッチ）１１４のくし形濾波済みルミナンス入力に直接供給される。主マイクロプロセッサ１０８からのゲート信号ＧＳがゲート回路１１３の動作を制御する。垂直帰線消去期間以外の時は、ゲート動作は行われず、ゲート回路１１３は、複合スイッチ１１０、くし形フィルタ１１２およびルミナンス・スイッチ１１４の各相互間の信号経路に於ける通常回路動作に影響を及ぼさない。この解決法の一例が、１９９６年９月２７日に出願され、本願の譲受人に譲渡された米国特許出願第０８／７２２５７４号（発明の名称：「バイパス・モードを有するくし形フィルタ」ＣＯＭＢ  ＦＩＬＴＥＲ  ＷＩＴＨ  ＢＹＰＡＳＳ  ＭＯＤＥ））の明細書に記載されている。しかし、このように新たにゲート回路とスイッチ制御信号とを追加するには、その新しいスイッチング構成を導入するためのハードウェアとソフトウェアを新たに追加しなければならないという欠点がある。従って、信号経路に於けるくし形フィルタに伴う上述の問題を解決し、且つ、新たにハードウェアとソフトウェアを追加する必要性を最小限にするような方法および装置の提供が望まれる。
ＥＰ０７６６４６７Ａ２が開示する構成では、マイクロコントローラＩＣ１０が、ビデオ・スイッチ１８とテレビ信号処理回路１４との間に配置される。この引用例はクローズド・キャプション・デコーダの動作に関するもので、デコーダは、偏向信号が利用されない動作モードの間に偏向信号を使用して制御される。
米国特許第５，３６９，４９８号が開示する構成では、ゲート信号に応答してビデオ・データ信号はＹ／Ｃ分離回路を通過せずにＤ／Ａ変換器に達する。この米国特許（５，３６９，４９８）は特に、ビデオ・ディスクからのビデオ・データ信号の処理に関するものであって、複数の入力信号のうちの１つを選択しデータの劣化を防止する具体的な構成をなんら教示しておらず、示唆もしていない。
【００１０】
（発明の概要）
本願発明者は、くし形濾波構成に関し、補助データ取出し点をシステム内に於いてくし形フィルタの前段の回路点に設けることによって、上述の問題が解決できることを認識した。この発明は、一部この認識に基づくものである。また、くし形フィルタに出力信号を供給する複合ビデオ・スイッチの出力が補助データ取出し点として使用できることを利点として認識した。
【００１１】
この発明の１つの特徴として、この発明の装置は、ビデオ・プログラム情報を含む第１の成分と補助データ情報を含む第２の成分とを有する信号を供給する信号源と、この信号源に結合されていて前記信号を受け取る入力を有し、前記信号をくし形濾波してルミナンス信号とクロミナンス信号とをそれぞれ第１と第２の出力から供給するくし形フィルタと、前記信号を受け取る入力を有し、前記信号の前記第２の成分に含まれる前記補助データを復号して復号済み出力信号を供給する補助データ復号器と、から成り、前記補助データ復号器の前記入力が前記信号源と前記くし形フィルタの前記入力との間に配置された取出し点に結合されており、これにより、前記補助データ復号器が前記信号をこれがくし形濾波される前に受け取り、前記補助データがくし形フィルタによって壊されることを防止する。
【００１２】
この発明の別の特徴として、前記信号源は、テレビジョン・チューナに結合された第１の入力、補助ビデオ源に結合された第２の入力、制御器に結合された第３の入力、および、前記制御器からの制御信号に応じて入力のうちの選択された１つの入力からのビデオ信号を供給する出力を有する複合スイッチから成る。
【００１３】
この発明の更に別の特徴として、前記信号源は、更に、Ｓビデオ信号源からルミナンス信号を受け取る第４の入力を有する。
【００１４】
更に別の特徴として、この発明の装置は、前記くし形フィルタからくし形濾波済みルミナンス信号を受け取る第１の入力、前記Ｓビデオ信号源からルミナンス信号を受け取る第２の入力、前記制御器から別の制御信号を受け取る第３の入力、および、この別の制御信号に応じて、前記くし形濾波済みのルミナンス信号と前記Ｓビデオ信号源からのルミナンス信号のうちの選択された一方のルミナンス信号を供給する出力を有するルミナンス・スイッチと、前記くし形フィルタからくし形濾波済みクロミナンス信号を受け取る第１の入力、前記Ｓビデオ信号源からクロミナンス信号を受け取る第２の入力、前記制御器から前記別の制御信号を受け取る第３の入力、および、この別の制御信号に応じて、前記くし形濾波済みのクロミナンス信号と前記Ｓビデオ信号源からのクロミナンス信号のうちの選択された一方のクロミナンス信号を供給する出力を有するクロミナンス・スイッチと、を更に有する。
【００１５】
（発明の実施の形態）
以下、この発明を添付の図面を参照しつつ説明する。尚、添付の図面に於いて同じ素子には同じ参照番号或いは同じ参照符号を付している。
【００１６】
図３は、この発明の代表的な実施例であるテレビジョン装置３００を示している。装置３００は、ＴＶチューナ入力１０２、補助（Ａｕｘ）ビデオ入力１０４、および、Ｓビデオ入力１０６のうちの１つから入力信号を受け取り、出力１１８からルミナンス出力信号Ｙｏを供給し、出力１２０からクロミナンス出力信号Ｃｏを供給する。テレビジョン受像機の応用例の場合、ビデオ源（ソース）入力としては、例えば、通常のチューナ、ＩＦ増幅器、検波器等が含まれる。ビデオ源入力としては、更に、例えば、ベースバンド・ビデオ入力も含まれる。テレビジョン・モニタの応用例の場合、チューナは、省かれることがある。当業者に周知のように、クロミナンス出力信号Ｃｏはクロミナンス復調装置（図示せず）によって復調されて、色差信号が生成される。また、マトリクス・プロセッサおよび駆動（ｄｒｉｖｅｒ）装置（共に図示せず）が、ルミナンス出力信号Ｙｏと色差信号とを組み合わせて処理して、ディスプレイ装置（図示せず）駆動用のＲＧＢ信号を生成する。
【００１７】
入力１０２および１０４からの複合ビデオ信号ＣＶ１およびＣＶ２と入力１０６からのルミナンス信号Ｌ１とは、複合（ｃｏｍｐｏｓｉｔｅ）スイッチ１１０に入力として供給される。この実施例では、ルミナンス信号Ｌ１は、複合スイッチ１１０のこれまで使用されていなかった入力に供給される。複合スイッチ１１０は、主プロセッサ１０８からの制御信号ＣＯＭＰ＿ＶＩＤ＿ＳＷに応じて、その入力信号のうちの選択された１つをくし形フィルタ１１２に入力信号ＣＶｍとして供給する。くし形フィルタ１１２は、入力信号ＣＶｍのルミナンス成分とクロミナンス成分とを分離して、くし形濾波済みルミナンス信号Ｙｍとくし形濾波済みクロミナンス信号Ｃｍとを生成する。くし形フィルタ１１２は、第１と第２の減算器、加算器、１Ｈ遅延素子、低域通過フィルタ、および、帯域通過フィルタから成る通常の構成のものでよい。
【００１８】
くし形フィルタ１１２では、くし形濾波済みクロミナンス信号Ｃｍは次のように得られる。まず、入力信号ＣＶｍがＡ／Ｄ変換器によって変換されて１Ｈ遅延素子に供給される。１Ｈ遅延素子の出力は、第１の減算器に供給される。第１の減算器の出力信号は、帯域通過フィルタ（ＢＰＦ：Ｂａｎｄ  Ｐａｓｓ  Ｆｉｌｔｅｒ）によって濾波（ｆｉｌｔｅｒ）され、これによって線（ｌｉｎｅ）相互間のルミナンス変化（即ち、垂直ディテール）が取り除かれる。この結果得られた帯域通過（ＢＰ）濾波済み信号には、入力ビデオ信号から再生されたクロミナンス情報が含まれている。また、この帯域通過濾波済み信号には、ＢＰＦの通過帯域内のあらゆるルミナンス垂直ディテール情報も含まれている。次に、この帯域通過濾波済み信号が、スイッチによって、「通常の（ｎｏｒｍａｌ）」くし形濾波モード期間中、クロミナンスＤ／Ａ変換器に結合される。また、この帯域通過濾波済み信号は、スイッチによって、減算器の入力に結合される。
【００１９】
くし形フィルタ１１２に於いて、くし形濾波済みルミナンス出力信号Ｙｍは次のように得られる。まず、減算器が、帯域通過濾波済み（クロミナンス）信号を入力ビデオ（ルミナンス＋クロミナンス）信号から減算して第２の差信号を生成する。この第２の差信号には、主に、ルミナンス成分が含まれている。この第２の差信号は、実質的に、ＢＰＦの通過帯域内のルミナンス垂直ディテールのないルミナンス成分である。この第２の差信号は、加算器の第１の入力に結合される。第１のビデオ差信号（クロミナンス＋ＶＤ）が、低域通過濾波され、これによってクロミナンス情報が取り除かれ、低周波数の線相互間のルミナンス変化（即ち、低周波数の垂直ディテール情報）が残る。このようにして得た低周波数垂直ディテール信号が、加算器の第２の入力に結合される。加算器は、この垂直ディテール信号と第２の差信号（ルミナンス）とを加算して、垂直ディテール情報が増大したルミナンス情報を含む信号を生成する。この加算器から出力されたルミナンス信号が、ルミナンスＤ／Ａ変換器に結合される。
【００２０】
くし形濾波済み出力信号ＹｍおよびＣｍは、それぞれ、ルミナンス・スイッチ（Ｙスイッチ）１１４およびクロミナンス・スイッチ（Ｃスイッチ）１１６にそれらの入力として供給される。Ｓビデオ入力１０６からの入力信号のルミナンス成分Ｌ１およびクロミナンス成分Ｃ１もまた、それぞれ、ルミナンス・スイッチ１１４およびクロミナンス・スイッチ１１６のそれぞれの入力に供給される。ルミナンス・スイッチ１１４およびクロミナンス・スイッチ１１６は、主プロセッサ１０８からの信号ＣＯＭＢ＿ＳＶＩＤ＿ＳＷおよびＣＯＭＰ＿ＶＩＤ＿ＳＷに応じてそれぞれの入力信号のうち所望の信号を選択する。この実施例では、制御信号ＣＯＭＰ＿ＶＩＤ＿ＳＷは、複合スイッチ１１０に供給されると共にルミナンス・スイッチ１１４およびクロミナンス・スイッチ１１６にも供給される。
【００２１】
ルミナンス・スイッチ１１４およびクロミナンス・スイッチ１１６の出力は、復調装置、マトリクス処理／駆動装置、ディスプレイ装置、および、関連する制御回路に供給される。これらの装置および回路は、全て従来の構成のものでよく、それらに関する詳細は大部分省略する。
【００２２】
補助データ復号器１２５の入力が、複合スイッチ１１０とくし形フィルタ１１２の間に結合されている。この代表的な実施例では、補助データ復号器１２５の入力は、複合スイッチ１１０とくし形フィルタ１１２の間に配置された回路点１３１に結合されている。複合スイッチ１１０とくし形フィルタ１１２との間のコネクタ、従って、回路点１３１は、これら素子の実施形態によって、例えば、ＩＣに組み込む、或いは、別々の素子として設けるといった形態によって、当業者に周知の様々な形態をとり得る。補助データ復号器１２５は、その後段の処理および／又は表示に適した出力信号ＡＤｏを供給する。補助データ復号器１２５は、従来の構成のものでよく、その詳細は当業者に周知である。別の実施例として、システム・マイクロプロセッサを用いてこの補助データ復号機能を行うようにしてもよい。また、補助データ復号器１２５への入力信号は、複合スイッチ１１０から供給される複合信号ＣＶｍと一致する。
【００２３】
ユーザがＴＶチューナ入力１０２を選択した場合、主マイクロプロセッサ１０８は、複合スイッチ１１０にＴＶチューナ入力１０２からの複合信号ＣＶ１を選択させ、ルミナンス・スイッチ１１４にくし形濾波済みルミナンス信号Ｙｍを選択させ、クロミナンス・スイッチ１１６にくし形濾波済みクロミナンス信号Ｃｍを選択させるのに適切な信号ＣＯＭＰ＿ＶＩＤ＿ＳＷおよびＣＯＭＢ＿ＳＶＩＤ＿ＳＷを発生する。また、ユーザが補助ビデオ入力１０４を選択した場合、主マイクロプロセッサ１０８は、複合スイッチ１１０に補助ビデオ入力１０４からの複合信号ＣＶ２を選択させ、ルミナンス・スイッチ１１４にくし形濾波済みルミナンス信号Ｙｍを選択させ、クロミナンス・スイッチ１１６にくし形濾波済みクロミナンス信号Ｃｍを選択させるのに適切な信号ＣＯＭＰ＿ＶＩＤ＿ＳＷおよびＣＯＭＢ＿ＳＶＩＤ＿ＳＷを発生する。また、ユーザがＳビデオ入力１０６を選択した場合、主マイクロプロセッサ１０８は、複合スイッチ１１０にＳビデオ入力１０６からのルミナンス信号Ｌ１を選択させ、ルミナンス・スイッチ１１４にルミナンス信号Ｌ１を選択させ、クロミナンス・スイッチ１１６にクロミナンス信号Ｃ１を選択させるのに適切な信号ＣＯＭＰ＿ＶＩＤ＿ＳＷおよびＣＯＭＢ＿ＳＶＩＤ＿ＳＷを発生する。これら３つの場合すべてに於いて、補助データ復号器１２５が、表示信号について、その信号がくし形濾波される前に、適切な信号を受け取り、そして所望の出力信号が出力１１８および１２０から供給される。従って、前述のデータ破損の問題が解決される。
【００２４】
複合スイッチ１１０は、例えばサンヨー・コーポレーション製のＬＡ７２２１のようなＩＣの形態で実施できる利点がある。図１および図２の従来技術の構成では、複合スイッチ１１０は、単一の制御信号ＣＯＭＰ＿ＶＩＤ＿ＳＷによって制御されている。また、ルミナンス・スイッチ（Ｙスイッチ）１１４およびクロミナンス・スイッチ（Ｃスイッチ）１１６も単一の制御信号ＣＯＭＢ＿ＳＶＩＤ＿ＳＷによって制御されている。しかし、３つの入力間で選択を行うには、単一の制御信号ＣＯＭＰ＿ＶＩＤ＿ＳＷだけでは不十分である。また、新しいスイッチングの要件を満たすためにハードウェアとソフトウェアの両方を再設計することは実用的でない。この問題を解決するために、本願発明者は、複合スイッチ１１０の今まで使用されずに接地されていた制御入力線ＣＴＬ１（図５参照）を使用して３つの入力信号間の選択を制御できることに気がついた。この点に関し、複合スイッチ１１０は、信号ＣＯＭＢ＿ＳＶＩＤ＿ＳＷとＣＯＭＰ＿ＶＩＤ＿ＳＷの両方を受信するようになっている。そのスイッチング動作を次に説明する。
【００２５】
図４ａおよび図４ｂの表は、問題解決の前と後のスイッチング機能を示している。図４ａの表は、図１の構成に関するスイッチングを示している。図１の構成では、複合スイッチ１１０の入力ＣＴＬ１（図５）は、接地されており、複合スイッチ１１０の出力には影響を及ぼさない。複合スイッチ１１０に対する制御信号ＣＯＭＰ＿ＶＩＤ＿ＳＷとルミナンス・スイッチ１１４およびクロミナンス・スイッチ１１６に対する制御信号ＣＯＭＢ＿ＳＶＩＤ＿ＳＷとの組み合わせによって、ＴＶ信号、補助信号、および、Ｓビデオ信号の内どの信号を出力１１８および１２０から供給するかを制御している。具体的には、複合スイッチ１１０の出力は制御信号ＣＯＭＰ＿ＶＩＤ＿ＳＷの状態によって制御され、ルミナンス・スイッチ１１４およびクロミナンス・スイッチ１１６の出力は制御信号ＣＯＭＢ＿ＳＶＩＤ＿ＳＷの状態によって制御される。
【００２６】
図４ｂの表は、図３の構成に関するスイッチングを示している。図３の構成では、制御信号ＣＯＭＢ＿ＳＶＩＤ＿ＳＷが、複合スイッチ１１０の入力ＣＴＬ１（図５）に結合されている。このように制御信号ＣＯＭＢ＿ＳＶＩＤ＿ＳＷを複合スイッチ１１０に結合することによって複合スイッチ１１０を制御して３つの別々の入力、即ち、ＴＶ信号、補助信号、および、Ｓビデオのルミナンス信号のうちの１つの信号を選択することが出来る。このようにして、既存のハードウェアとソフトウェアに加える変更を最小限にして、スイッチ１１０、１１４および１１６を制御して所望の信号入力の中から１つを選択できる。更に、補助データ復号器１２５が複合スイッチ１１０の出力に結合されているため、この発明に従う新規な補助データ取出し点は、表示用に選択される入力信号に拘わらず、処理すべき適正な信号を受信することが出来る。
【００２７】
図５は、装置３００の複合スイッチ１１０、くし形フィルタ１１２および種々の入力の構成を概略的に示した図である。この実施例では、複合スイッチ１１０は、サンヨー・コーポレーション製のＬＡ７２２１から成る。前述の問題を解決するために変更した点には、Ｓビデオを選択する場合にＳビデオ信号のルミナンス成分Ｌ１をスイッチング作用によって補助データ復号器１２５に送り出すためにそのルミナンス成分Ｌ１を抵抗Ｒ６を介して複合スイッチ１１０のピン１に加えること、および、制御信号ＣＯＭＢ＿ＳＶＩＤ＿ＳＷを入力ＣＴＬ１に供給することが含まれる。これは、Ｓビデオがルミナンス出力およびクロミナンス出力用に選択されるために必要である。ルミナンス成分Ｌ１を補助データ復号器１２５に送るスイッチングを行うために、制御信号ＣＯＭＢ＿ＳＶＩＤ＿ＳＷをＱ３によって反転させて、これをピン２の所に在るこれまで使用されずに接地されていたＣＴＬ１入力に供給する。更に、Ｑ３のコレクタに在る反転されたＣＯＭＢ＿ＳＶＩＤ＿ＳＷ信号をＱ２によって再び反転させて、これを用いて複合スイッチ１１０のピン４のＣＴＬ２入力を、信号ＣＯＭＰ＿ＶＩＤ＿ＳＷの状態に拘わりなく、強制的に「ロー」（ＬＯＷ）にする。Ｓビデオが選択されない場合は、第２のインバータであるＱ２は停止状態であり、ＣＯＭＰ＿ＶＩＤ＿ＳＷ線のみが複合スイッチ１１０のＣＴＬ２入力を制御する。これは、実質的に、上述の変更を行う前の構成に相当する。
【００２８】
以上この発明を具体的な例として説明したが、この発明の本質から離れることなく、ここに開示した実施例に変形および変更を加えることが出来るのは当業者に明らかである。従って、本願の特許請求の範囲の欄に記載した各請求項は、上述の説明および例から当然考えられる全ての変形および変更事項を包含する（ｃｏｖｅｒ）ものである。上述の代表的な実施例は、垂直帰線消去期間中の情報がテレビジョン信号のくし形濾波が原因で破損してしまうことがあるテレビジョン・システムについて説明したものである。データ破損の問題は、信号経路に於いて、くし形濾波の前段の回路点にデータ取出し点を設けることによって解決される。この発明をテレビジョン・システム用のくし形フィルタについて説明したが、データがビデオ信号の消去期間部分に入れられ、そのデータがくし形濾波処理で破損し易いような如何なるシステムにもこの発明を適用することが出来ることに注意されたい。
【図面の簡単な説明】
【図１】  くし形フィルタを含み、データ破損を受け易いテレビジョン信号処理装置のブロック図である。
【図２】  くし形フィルタに結合されたバイパスを有するテレビジョン信号処理装置のブロック図である。
【図３】  データ・サービス用取出し点が、信号経路に於いて、くし形濾波の前段の回路点に配置されている、この発明に従うテレビジョン信号処理装置のブロック図である。
【図４ａ】  図１の装置に対する種々の入力信号に関する信号状態を示す表である。
【図４ｂ】  図３の装置に対する種々の入力信号に関する信号状態を示す表である。
【図５】  図３の信号処理装置に関する、複合信号スイッチ、くし形フィルタ、および、種々の入力を示す詳細な回路図である。
【図１】
0004530602.tif 000002
【図２】
0004530602.tif 000003
【図３】
0004530602.tif 000004
【図４ａ】
0004530602.tif 000005
【図４ｂ】
0004530602.tif 000006
【図５】
0004530602.tif 000007